(57)【要約】【課題】構造が簡単で、セルフロック機能を有する、特に電子デバイス用の支持フレームを提供することを課題とする。【解決手段】  前記電子デバイスが装着させる本体と、この本体の側部に設置され、貫通孔を有する支持部材と、この支持部材を前記本体に対して選択的に回転可能に軸支するとともに、互いに接続された押圧部とフィッティング部を有し、前記貫通孔に軸方向に移動可能に挿入される位置決めシャフトとを備え、前記貫通孔は位置決めセクションと回転セクションを有すると同時に、前記回転セクションの内径は前記位置決めセクションの内径より大きく、前記位置決めシャフトの前記押圧部が第１位置にある時は、前記フィッティング部は前記貫通孔の前記位置決めセクションに係合して、前記支持部材を本体に対して回転不能とすると共に、前記押圧部が第２位置にある時は、前記フィッティング部は前記貫通孔の前記回転セクションに移動して、前記支持部材を前記本体に対して回転可能とすることで解決した。【選択図】図４
2015105754.tif 000002
【特許請求の範囲】
【請求項１】
電子デバイスの使用時に用いられる支持フレームであって、
前記電子デバイスが装着される収容空間を有する本体と、
前記本体の側部に設置され、貫通孔を有する支持部材と、
前記支持部材を前記本体に対して選択的に回転可能に軸支するとともに、互いに接続された押圧部とフィッティング部を有し、前記貫通孔に軸方向に移動可能に挿入される位置決めシャフトとを備え、
前記貫通孔は位置決めセクションと回転セクションを有すると同時に、前記回転セクションの内径は前記位置決めセクションの内径より大きく、
前記位置決めシャフトの前記押圧部が第１位置にある時は、前記フィッティング部は前記貫通孔の前記位置決めセクションに係合して、前記支持部材を本体に対して回転不能とすると共に、前記押圧部が第２位置にある時は、前記フィッティング部は前記貫通孔の前記回転セクションに移動して、前記支持部材を前記本体に対して回転可能とするように成したことを特徴とする、支持フレーム。
【請求項２】
前記支持部材は、ハンドル部を更に備えることを特徴とする、請求項１に記載の支持フレーム。
【請求項３】
前記位置決めシャフトの前記フィッティング部の外形のサイズは、前記支持部材の前記位置決めセクションの内形のサイズと同一であることを特徴とする、請求項１または２のいずれか１項に記載の支持フレーム。
【請求項４】
前記位置決めシャフトの前記フィッティング部の外形の形状は、前記支持部材の前記位置決めセクションの内形の形状と同一であることを特徴とする、請求項３に記載の支持フレーム。
【請求項５】
弾性部材を更に備え、
前記弾性部材は前記貫通孔に設置されるとともに、前記フィッティング部に当接することを特徴とする、請求項１〜４のいずれか１項に記載の支持フレーム。
【請求項６】
前記押圧部が前記第２位置にある時、前記弾性部材はその弾性復元力により前記フィッティング部を押圧することで、前記フィッティング部を前記位置決めセクションへ移動させるよう付勢すると同時に、前記押圧部を前記第１位置へ移動させるよう付勢するように成したことを特徴とする、請求項５に記載の支持フレーム。
【請求項７】
前記弾性部材は、コイルスプリング、またはスプリングプレートであることを特徴とする、請求項５に記載の支持フレーム。
【請求項８】
ピボット部材を更に備え、
前記ピボット部材は、前記本体に固定されると共に、前記本体と前記支持部材の間に介在されることを特徴とする、請求項１〜７のいずれか１項に記載の支持フレーム。
【請求項９】
前記ピボット部材はピボット孔を備え、前記ピボット孔と前記貫通孔は互いに同軸に設置され、前記位置決めシャフトは前記ピボット孔及び前記貫通孔に挿通されるように成したことを特徴とする、請求項８に記載の支持フレーム。
【請求項１０】
前記電子デバイスは、携帯電話、電子書籍リーダー、またはタブレット型パソコンであることを特徴とする、請求項１〜９のいずれか１項に記載の支持フレーム。
【発明の詳細な説明】
【技術分野】
【０００１】
本発明は、例えば携帯電話、電子書籍リーダー、またはタブレット型パソコン等の小型かつ携帯型の電子デバイスに用いて好適な支持フレームに関する。
【背景技術】
【０００２】
デジタル化や技術の成熟、及び価格低下などの要因により、上記した電子デバイスは人々にとってすでに日常の必需品の一つとなっている。しかしながら、電子デバイスを可能な限り薄く、軽量にし、且つ外形を小さくするために、使用時にこれを一定位置に保持するための支持手段は、多くの場合備えられていない。このため、このような電子デバイスは、ユーザーが電子文書、またはビデオなどを見るのに、見易い状態で安定して机上に置くことは困難である。従って、電子デバイスを見るときに手持ちしなくても済むようにというニーズに対応するように、必要に応じて、電子デバイスに合わせて使用できる支持フレームへの需要が増大している。
【０００３】
上記により、通常、電子デバイスを机に直立させる支持フレームは大抵、傾斜角度が固定であるタイプ、または傾斜角度が調整可能であるタイプの２種類に分けられている。前者では、支持フレームを特定の角度に固定することしかできず、ユーザーのニーズに応じて、角度を調整することができないので、比較的不便である。一方、後者では、複数の位置制限スロットと歯車を組み合わせた構造で、支持フレームの角度を調整するようになっている。しかしながら、このような設計の構造は比較的複雑で、且つセルフロック機能を有していないので、安定性が比較的悪いという問題がある。
【０００４】
したがって、いかにして構造が簡単で、セルフロック機能を有する支持フレームを提供するかが、本技術分野において、早急に解決しなければならない課題の一つとなっている。
【発明の概要】
【発明が解決しようとする課題】
【０００５】
上記の課題に鑑みて、本発明は、構造が簡単で、セルフロック機能を有する小型かつ携帯型の電子デバイスに用いて好適な支持フレームを提供することを目的とする。
【課題を解決するための手段】
【０００６】
上記の目的を達するために、本発明は、本体と、支持部材と、及び位置決めシャフトとを備える支持フレームを提供し、この支持フレームは、上記した電子デバイスの使用時に用いられるものである。
【０００７】
本体は収容空間を有すると同時に、電子デバイスは収容空間に設置される。支持部材は貫通孔を有し、本体の一側に設置される。貫通孔は位置決めセクションと回転セクションを備え、回転セクションの内径は位置決めセクションの内径より大きい。位置決めシャフトは、互いに接続された押圧部とフィッティング部を備え、貫通孔に移動可能に挿通される。
【０００８】
位置決めシャフトの押圧部が、第１位置にある時、フィッティング部は貫通孔の位置決めセクションに係合され、支持部材を本体に対して回転不能とする。位置決めシャフトの押圧部が第２位置にある時、フィッティング部は貫通孔の回転セクションに移動し、支持部材を本体に対して回転可能とする。
【０００９】
このように、本発明は、電子デバイスの使用時に用いられる支持フレームであって、
前記電子デバイスが装着される収容空間を有する本体と、前記本体の一側に設置され、貫通孔を有する支持部材と、前記支持部材を前記本体に対して選択的に回転可能に軸支するとともに、互いに接続された押圧部とフィッティング部を有し、前記貫通孔に軸方向に移動可能に挿入される位置決めシャフトとを備え、前記貫通孔は位置決めセクションと回転セクションを有すると同時に、前記回転セクションの内径は前記位置決めセクションの内径より大きく構成し、前記位置決めシャフトの前記押圧部が第１位置にある時は、前記フィッティング部は前記貫通孔の前記位置決めセクションに係合して、前記支持部材を本体に対して回転不能とすると共に、前記押圧部が第２位置にある時は、前記フィッティング部は前記貫通孔の前記回転セクションに移動して、前記支持部材を前記本体に対して回転可能とすることを特徴とする。
【００１０】
本発明の一実施例において、支持部材はハンドル部を更に備える。
【００１１】
本発明の一実施例において、位置決めシャフトのフィッティング部の外形のサイズは、支持部材の位置決めセクションの内形のサイズと同一である。
尚、本発明の構成において、「外形」とは「外周の形状」を指し、「内形」とは「内周の形状」を指すものである。
【００１２】
本発明の一実施例において、位置決めシャフトのフィッティング部の外形の形状は、支持部材の位置決めセクションの内形の形状と同一である。
【００１３】
本発明の一実施例において、支持フレームは弾性部材を更に備え、弾性部材が貫通孔に設置されるとともに、フィッティング部に当接する。
【００１４】
本発明の一実施例において、押圧部が第２位置にある時、弾性部材はその弾性復元力によりフィッティング部を押圧することで、フィッティング部を位置決めセクションへ移動させるよう付勢すると同時に、押圧部を前記第１位置へ移動させるよう付勢する。
【００１５】
本発明の一実施例において、弾性部材はコイルスプリング、またはスプリングプレートである。
【００１６】
本発明の一実施例において、支持フレームはピボット部材を更に備え、ピボット部材は、本体に固定されると共に、本体と前記支持部材の間に介在される。
【００１７】
本発明の一実施例において、ピボット部材はピボット孔を備え、ピボット孔と貫通孔は互いに同軸に設置され、位置決めシャフトはピボット孔及び貫通孔に挿通される。
【００１８】
本発明の一実施例において、電子デバイスは携帯電話、電子書籍リーダー、またはタブレット型パソコンである。
【発明の効果】
【００１９】
上記により、本発明は、位置決めシャフトを異なる位置に設定することで、支持フレームをロック状態と、角度が調整可能な状態との間に切り替えることができ、これによって、構造が簡単で、セルフロック機能を有する支持フレームを提供することができる。
【図面の簡単な説明】
【００２０】
【図１】本発明の一実施例に係る支持フレームの立体斜視図である。
【図２】図１に示す支持フレームの一部分解斜視図である。
【図３】図１に示す支持フレームの一部拡大斜視図である。
【図４】支持フレームが第１位置にある場合を示す、図３中のＡ−Ａ割線に沿った断面図である。
【図５】支持フレームが第２位置にある場合を示す、図３中のＡ−Ａ割線に沿った断面図である。
【発明を実施するための形態】
【００２１】
関連する図面を参照しながら、本発明の好ましい実施例に係る支持フレームを以下の通りに説明し、このうち同じ部材は同じ符号を付して説明する。理解を容易にするため、本発明と直接関連がない部材の図示及び説明は省略する。
【実施例】
【００２２】
図１〜図５を同時に参照されたい。図１は本発明の一実施例に係る支持フレームの立体斜視図である。図２は図１に示す支持フレームの分解斜視図である。図３は図１に示す支持フレームの一部拡大斜視図である。図４と図５は、支持フレームが第１位置及び第２位置にある場合を示す、図３中のＡ−Ａ割線に沿った断面図である。
【００２３】
本発明は、支持フレーム１を提供するものであり、この支持フレーム１は電子デバイス２の使用時に利用される。本実施例の支持フレーム１は、本体１０、支持部材１２、及び位置決めシャフト１４を備える。
【００２４】
本体１０は収容空間１０２を有すると同時に、電子デバイス２は収容空間１０２に設置される。よって、収容空間１０２は電子デバイス２の外形に合わせて設計されるものである。本実施例において使用される電子デバイス２は、例えば、携帯電話、電子書籍リーダー、またはタブレット型パソコンであり、本実施例ではタブレット型パソコンを例とするが、これに制限されない。
【００２５】
支持部材１２は本体１０の側部に設置されている。また、本実施例の支持部材１２は、本体１０に対して回転することができ、且つ収容空間１０２とは反対側に設置されている。さらに、支持部材１２を回転させることで、電子デバイス２はさまざまに異なる角度で立てて置くことができる。
【００２６】
また、本実施例の支持部材１２はハンドル部１２２を更に備える。ハンドル部１２２を設置した目的は、ユーザーが電子デバイス２を机に置く必要のない時、支持部材１２を本体１０と平行な状態（収納状態）まで回転させることにより、ユーザーは、別な補助部材を必要とすることなく、直接にハンドル部１２２によって電子デバイス２を持ち運ぶことができる。
【００２７】
次に、図４を特に参照されたい。支持部材１２は貫通孔１２４（図２参照）を有している。貫通孔１２４は位置決めセクション１２４Ａと回転セクション１２４Ｂを備え（図４を特に参照する）、且つ回転セクション１２４Ｂの内径は位置決めセクション１２４Ａの内径より大きい。
【００２８】
位置決めシャフト１４（図１〜図３）は支持部材１２の貫通孔１２４（図２）に軸方向に移動可能なように設置されると同時に、位置決めシャフト１４は押圧部１４２とフィッティング部１４４を備え、押圧部１４２はフィッティング部１４４と接続されている。また、位置決めシャフト１４は、支持部材１２を本体１０に対して選択的に回転させることが可能なように軸支する機能を有する。つまり、支持部材１２は位置決めシャフト１４を軸心として、本体１０に対して回転可能なように保持される。
【００２９】
詳しく言えば、本実施例の位置決めシャフト１４のフィッティング部１４４の外形（外周の形状）は、貫通孔１２４の位置決めセクション１２４Ａの内形（内周の形状）と一致している。より好ましくは、本実施例のフィッティング部１４４の外形は、貫通孔１２４の位置決めセクション１２４Ａの内形と同一の形状及びサイズを有している。
【００３０】
説明を補充すべきことは、ここで言うところの「同一の形状」、「同一のサイズ」とは、フィッティング部１４４の外形（外周の形状）の少なくとも一部が貫通孔１２４の位置決めセクション１２４Ａの内形（内周の形状）と係合することができること、即ち、位置決めシャフト１４と支持部材１２とが軸中心に互いに回転不能なように係合し得る形状及びサイズを有していることを指している。例えば、仮に、貫通孔１２４の位置決めセクション１２４Ａの内形が六角孔状であり、フィッティング部１４４の外形が三角柱状または六角柱状である場合、フィッティング部１４４の各柱角はいずれも支持部材１２の貫通孔１２４の複数角の孔と係合することができる。したがって、このような六角孔状の位置決めセクション１２４Ａと三角柱状または六角柱状のフィッティング部１４４とは、「同一の形状」及び「同一のサイズ」を有すると称するものである。また、フィッティング部１４４の形状を特別に等角柱状に設計することで、ユーザーに支持部材１２の回転角度の大きさを容易に判断させることができる。
【００３１】
また、本実施例において、支持フレーム１は、弾性部材１８を更に備え、弾性部材１８は、少なくともその一端が支持部材１２の貫通孔１２４（図２）内に伸出するよう設置され、且つ位置決めシャフト１４のフィッティング部１４４に当接するようになっている。また、この弾性部材１８は、図示したようなコイルスプリング、またはスプリングプレートである。
【００３２】
なお、本実施例の支持フレーム１は、ピボット部材１６を更に備え、ピボット部材１６は本体１０と支持部材１２の間に設置されている。つまり、本実施例の支持部材１２は、ピボット部材１６を介して、本体１０に対して回動可能なように連結されている。
【００３３】
本実施例では、Ｕ字状のピボット部材１６を例としている。このピボット部材１６はピボット孔１６２ａ、１６２ｂ（図２）を備え、ピボット孔１６２ａ、１６２ｂはそれぞれピボット部材１６のＵ型構造の両アーム上に形成されている。また、ピボット孔１６２ａ、１６２ｂは、支持部材１２の貫通孔１２４と同軸にできるように設置されると同時に、位置決めシャフト１４はピボット孔１６２ａ、１６２ｂを挿通して設置される（本実施例において、位置決めシャフト１４は、順にピボット孔１６２ｂ、貫通孔１２４、及びピボット孔１６２ａを挿通することができる）。さらに、このピボット孔１６２ａの孔径を、位置決めシャフト１４のフィッティング部１４４より若干小さく設計するとともに、ピボット孔１６２ａの形状及びサイズを、位置決めシャフト１４の押圧部１４２と同一となるように設計することで、位置決めシャフト１４をピボット部材１６及び本体１０に対して回転不能なように保持して、支持部材１２の回転角度位置の位置決めをさせることができる。
【００３４】
このピボット部材１６は、位置決めシャフト１４を介して支持部材１２の固定作用を有する以外に、ガイド用、または誤操作防止用のものとすることも可能であり、支持部材１２の回転方向及び限界角度に対して更に制限を加えることで、無理な操作や誤操作を防止し、支持フレーム１の寿命を延ばすことができる。
【００３５】
続いて、図４と図５を同時に参照されたい。支持部材１２の前記貫通孔１２４（図２）に挿通された位置決めシャフト１４が図４に示すような第１位置にある時、位置決めシャフト１４のフィッティング部１４４は貫通孔１２４の位置決めセクション１２４Ａと係合している。本実施例のフィッティング部１４４の外形（本実施例では略星形）のサイズは、貫通孔１２４の位置決めセクション１２４Ａの内形（本実施例では略星形）のサイズと同一であるので、位置決めシャフト１４が図４に示すような第１位置にある時、支持部材１２は本体１０に対してロック状態にあり、回転することができない。
【００３６】
一方、位置決めシャフト１４が前記貫通孔１２４に押し込まれて、図５に示すような第２位置にある時、フィッティング部１４４は貫通孔１２４の回転セクション１２４Ｂに移動すると同時に、弾性部材１８はフィッティング部１４４により押圧されて圧縮、変形することとなる。このとき、回転セクション１２４Ｂの内形（本実施例では図２に示されるように円形）の径がフィッティング部１４４の外形（略星形）の最大径よりわずかに大きいため、位置決めシャフト１４は支持部材１２に係合されず、支持部材１２は本体１０に対して回転することができ、両者の角度が調整可能な状態にある。
【００３７】
本実施例の位置決めシャフト１４の移動方法は、ユーザーが直接、または間接的に位置決めシャフト１４の押圧部１４２を押すことで、フィッティング部１４４を支持部材１２の位置決めセクション１２４Ａから回転セクション１２４Ｂ側へ移動させることができるようになっている。ユーザーが押圧部１４２を押す操作をやめた時、弾性部材１８はその弾性復元力により、位置決めシャフト１４のフィッティング部１４４を位置決めセクション１２４Ａ側に移動、復帰させる。これにより、ロック状態に自動的に復帰するセルフロック機能が達成される。
【００３８】
簡単に言えば、押圧部１４２が図５に示すような第２位置にある時には、弾性部材１８は、その弾性復元力によってフィッティング部１４４を押圧することで、フィッティング部１４４を位置決めセクション１２４Ａ側に移動させ、これにより、押圧部１４２を図４に示すような第１位置に移動させる。弾性部材１８が提供する弾性復元力の押圧方向は、図５中に白抜きの矢印で示されている。
【００３９】
その他の実施例において、レバーなどの部材を介して押圧部１４２を押すように構成することもでき、本実施例に係る方法に限定されない。
【００４０】
上記をまとめると、本発明は、位置決めシャフトを異なる位置に設置することで、支持フレームをロック状態と、角度が調整可能な状態との間で切り替えるように構成することによって、構造が簡単で、セルフロック機能を有する支持フレームを提供することができる。
【００４１】
上記実施例は例示的なものであって、本発明を限定するためのものではない。本発明の技術的思想および範囲から逸脱することなく行われる等価の修正または変更は、いずれも別紙の特許請求の範囲に含まれる。
【産業上の利用可能性】
【００４２】
本発明は以上の構成により、構造が簡単で、セルフロック機能を有する支持フレームを提供することができる。
【符号の説明】
【００４３】
１：支持フレーム
１０：本体
１０２：収容空間
１２：支持部材
１２２：ハンドル部
１２４：貫通孔
１２４Ａ：位置決めセクション
１２４Ｂ：回転セクション
１４：位置決めシャフト
１４２：押圧部
１４４：フィッティング部
１６：ピボット部材
１６２ａ、１６２ｂ：ピボット孔
１８：弾性部材
２：電子デバイス
【図１】
2015105754.tif 000003
【図２】
2015105754.tif 000004
【図３】
2015105754.tif 000005
【図４】
2015105754.tif 000006
【図５】
2015105754.tif 000007